(57)【要約】本発明の顔部マッサージ装置は上部カバーと下部カバーを含み、上部と下部カバーにより形成される空間内には制御回路が取り付けられている。顔部マッサージ装置は、両端が上部と下部カバーの外側にそれぞれ連結されるマッサージ爪部と、制御回路に電気接続されかつマッサージ爪部が回転するように駆動する駆動モーターとを更に含む。駆動モーターが１個である場合、２個のマッサージ爪部の間には駆動モーターに連結されかつ２個のマッサージ爪部が不同方向に回転するように駆動する伝動構造が設けられる。駆動モーターが２個である場合、マッサージ爪部と駆動モーターは１つずつ連結され、２個の駆動モーターは２個のマッサージ爪部が不同方向に回転するように駆動する。それを使用するとき、駆動モーターと伝動構造との間の協力により２個のマッサージ爪部が不同方向に回転するように駆動する。マッサージ爪部と顔部が接触するとき、２個のマッサージ爪部の回転を制御することによりマッサージ爪部を適当な位置まで回転させた後、顔部に対してマッサージをすることによりマッサージの快適性を向上させ、各マッサージ部の面積が小さいことにより、顔部の各区域を有効にマッサージし、使用者の要求を満たすことができる。【選択図】図１
2021514806.tif 000002
【特許請求の範囲】
【請求項１】
上部カバーと下部カバーを含み、前記上部カバーと下部カバーにより形成される空間内には制御回路が取り付けられる顔部マッサージ装置であって、前記顔部マッサージ装置は、両端が上部カバーの外側と下部カバーの外側にそれぞれ連結されるマッサージ爪部と、制御回路に電気接続されかつマッサージ爪部が回転するように駆動する駆動モーターとを更に含み、駆動モーターが１個である場合、２個のマッサージ爪部の間には駆動モーターに連結されかつ２個のマッサージ爪部が不同方向に回転するように駆動する伝動構造が設けられ、駆動モーターが２個である場合、マッサージ爪部と駆動モーターは１つずつ連結され、２個の駆動モーターは２個のマッサージ爪部が不同方向に回転するように駆動することを特徴とする顔部マッサージ装置。
【請求項２】
前記伝動構造は駆動モーターの回転軸に連結される主動歯車と当該主動歯車に伝動可能に結合される第一受動歯車とを含み、前記第一受動歯車と主動歯車は２個のマッサージ爪部にそれぞれ連結されることを特徴とする請求項１に記載の顔部マッサージ装置。
【請求項３】
前記伝動構造は駆動モーターの回転軸に連結される主動歯車を含み、前記主動歯車の一側には１個のマッサージ爪部に連結される第一受動歯車が取り付けられ、前記主動歯車の他側には第二受動歯車と他の１個のマッサージ爪部に連結される第三受動歯車とが取り付けられ、前記第二受動歯車が主動歯車と第三受動歯車に伝動可能にそれぞれ結合され、主動歯車は第一受動歯車に伝動可能に結合されることを特徴とする請求項１に記載の顔部マッサージ装置。
【請求項４】
前記マッサージ爪部は、上部カバーおよび下部カバーの外側に位置しているマッサージ端部と、上部カバーおよび下部カバーの裏側に位置している固定端部とを含み、前記固定端部は上部カバーと下部カバーとの間に形成される固定孔に挿入されかつ第一受動歯車と第三受動歯車に連結されることを特徴とする請求項３に記載の顔部マッサージ装置。
【請求項５】
前記マッサージ爪部の表面には導電層が形成され、前記導電層は制御回路の正極と負極に電気接続され、２個のマッサージ爪部が顔部と接触するとき、２個のマッサージ爪部の間の皮膚に電流が流れるようにすることを特徴とする請求項１に記載の顔部マッサージ装置。
【請求項６】
前記固定端部には上部カバーと下部カバーとの間の固定孔に結合される環形の固定溝が形成されていることを特徴とする請求項４に記載の顔部マッサージ装置。
【請求項７】
前記固定溝内にはマッサージ爪部の表面に形成される導電層と接触する電気接触部が設けられ、前記固定孔の内壁には電気接触部と接触する電気接触部が形成され、前記電気接触部は制御回路に電気接続されることを特徴とする請求項６に記載の顔部マッサージ装置。
【請求項８】
前記マッサージ爪部は略Ｌ形に形成され、前記マッサージ端部には弧状のマッサージ面が形成されていることを特徴とする請求項４に記載の顔部マッサージ装置。
【請求項９】
前記顔部マッサージ装置は制御回路に電気接続される位置検出センサーを更に含むことを特徴とする請求項４または５に記載の顔部マッサージ装置。
【請求項１０】
前記顔部マッサージ装置は制御回路に電気接続される２個の弾性部を更に含み、各弾性部はマッサージ爪部の表面に形成される導電層と接触することを特徴とする請求項５に記載の顔部マッサージ装置。
【発明の詳細な説明】
【技術分野】
【０００１】
本発明は、個人のスキンケアの技術分野に属し、特に、顔部をマッサージする顔部マッサージ装置に関するものである。
【背景技術】
【０００２】
顔部は外部に長く露出しており、外部の環境の影響を受けているので、マッサージ等のスキンケアを度々することにより皮膚の乾燥等を防止することができる。従来の顔部マッサージ装置は通常、振動等によりマッサージをするが、マッサージの効果がよくないという欠点を有している。また、マッサージをする部位の面積は大きく、マッサージをする顔部には不規則な区域例えば三角区域等が含まれているので、マッサージを有効にすることができない。したがって、顔部のすべての区域をマッサージすることができず、使用者の要求を満たすことができない。
【発明の概要】
【発明が解決しようとする課題】
【０００３】
本発明が解決しようとする技術的課題は、顔部マッサージ装置を提供し、該顔部マッサージ装置を顔部の不規則な区域に適用させることによりマッサージの効果を向上させることにある。
【課題を解決するための手段】
【０００４】
前記技術的課題を解決するため、本発明は顔部マッサージ装置を提供する。前記顔部マッサージ装置は上部カバーと下部カバーを含み、前記上部カバーと下部カバーにより形成される空間内には制御回路が取り付けられている。前記顔部マッサージ装置は、両端が上部カバーの外側と下部カバーの外側にそれぞれ連結されるマッサージ爪部と、制御回路に電気接続されかつマッサージ爪部が回転するように駆動する駆動モーターとを更に含み、駆動モーターが１個である場合、２個のマッサージ爪部の間には駆動モーターに連結されかつ２個のマッサージ爪部が不同方向に回転するように駆動する伝動構造が設けられる。駆動モーターが２個である場合、マッサージ爪部と駆動モーターは１つずつ連結され、２個の駆動モーターは２個のマッサージ爪部が不同方向に回転するように駆動する。
【０００５】
本発明の実施例において、前記伝動構造は駆動モーターの回転軸に連結される主動歯車と当該主動歯車に伝動可能に結合される第一受動歯車とを含み、前記第一受動歯車と主動歯車は２個のマッサージ爪部にそれぞれ連結される。
【０００６】
本発明の実施例において、前記伝動構造は駆動モーターの回転軸に連結される主動歯車を含み、前記主動歯車の一側には１個のマッサージ爪部に連結される第一受動歯車が取り付けられ、前記主動歯車の他側には第二受動歯車と他の１個のマッサージ爪部に連結される第三受動歯車とが取り付けられ、前記第二受動歯車が主動歯車と第三受動歯車に伝動可能にそれぞれ結合され、主動歯車は第一受動歯車に伝動可能に結合される。
【０００７】
本発明の実施例において、前記マッサージ爪部は、上部カバーおよび下部カバーの外側に位置しているマッサージ端部と、上部カバーおよび下部カバーの裏側に位置している固定端部とを含み、前記固定端部は上部カバーと下部カバーとの間に形成される固定孔に挿入されかつ第一受動歯車と第三受動歯車に連結される。
【０００８】
本発明の実施例において、前記マッサージ爪部の表面には導電層が形成され、前記導電層は制御回路の正極と負極に電気接続され、２個のマッサージ爪部が顔部と接触するとき、２個のマッサージ爪部の間の皮膚に電流が流れるようにする。
【０００９】
本発明の実施例において、前記固定端部には上部カバーと下部カバーとの間の固定孔に結合される環形の固定溝が形成されている。
【００１０】
本発明の実施例において、前記固定溝内にはマッサージ爪部の表面に形成される導電層と接触する電気接触部が設けられ、前記固定孔の内壁には電気接触部と接触する電気接触部が形成され、前記電気接触部は制御回路に電気接続される。
【００１１】
本発明の実施例において、前記マッサージ爪部は略Ｌ形に形成され、前記マッサージ端部には弧状のマッサージ面が形成されている。
【００１２】
本発明の実施例において、前記顔部マッサージ装置は制御回路に電気接続される位置検出センサーを更に含む。
【００１３】
本発明の実施例において、前記顔部マッサージ装置は制御回路に電気接続される２個の弾性部を含み、各弾性部はマッサージ爪部の表面に形成される導電層と接触する。
【００１４】
本発明の実施例において、前記顔部マッサージ装置は制御回路とモーターに電気接続されるバッテリーとを更に含む。
【発明の効果】
【００１５】
本発明の顔部マッサージ装置は上部カバーと下部カバーを含み、前記上部カバーと下部カバーにより形成される空間内には制御回路が取り付けられている。前記顔部マッサージ装置は、両端が上部カバーの外側と下部カバーの外側にそれぞれ連結されるマッサージ爪部と、制御回路に電気接続されかつマッサージ爪部が回転するように駆動する駆動モーターとを更に含む。駆動モーターが１個である場合、２個のマッサージ爪部の間には駆動モーターに連結されかつ２個のマッサージ爪部が不同方向に回転するように駆動する伝動構造が設けられる。駆動モーターが２個である場合、マッサージ爪部と駆動モーターは１つずつ連結され、２個の駆動モーターは２個のマッサージ爪部が不同方向に回転するように駆動する。前記顔部マッサージ装置を使用するとき、駆動モーターと伝動構造との間の協力により２個のマッサージ爪部が不同方向に回転するように駆動することができる。マッサージ爪部と顔部が接触するとき、２個のマッサージ爪部の回転を制御することによりマッサージ爪部を適当な位置まで回転させた後、顔部に対してマッサージをすることによりマッサージの快適性を向上させることができる。各マッサージ部の面積が小さいことにより、顔部の各区域を有効にマッサージし、使用者の要求を満たすことができる。
【図面の簡単な説明】
【００１６】
本発明の実施例または従来の技術の技術的事項をより詳細に説明するため、以下、本発明の実施例または従来の技術に係る図面を簡単に説明する。注意されたいことは、下記図面は本発明の例示にしか過ぎないものであるため、本技術分野の技術者は創造的な研究をしなくても下記図面により他の図面を想到することができ、それらがあっても本発明に含まれることは勿論である。
【図１】本発明の実施例に係る顔部マッサージ装置を示す構造図である。
【図２】本発明の第一実施例に係る伝動構造を示す構造図である。
【図３】本発明の第二実施例に係る伝動構造を示す構造図である。
【図４】本発明の第三実施例に係る伝動構造を示す構造図である。
【００１７】
以下、本発明の実施例と図面を参照することにより、本発明の実施方法、技術的特徴および発明の効果をより詳細に説明する。
【発明を実施するための形態】
【００１８】
本発明の目的、技術的事項および発明の効果をより詳細に説明するため、以下、本発明の実施例の図面により本発明の実施例に係る技術的事項をより詳細に説明する。下記実施例は、本発明の一部分の実施例にしか過ぎないものであり、本発明のすべての実施例を示すものでない。本技術分野の技術者は創造的な研究をしなくても下記実施例により他の実施例を想到することができ、それらがあっても本発明に含まれることは勿論である。
【００１９】
図１に示すとおり、本発明において本発明の実施例に係る顔部マッサージ装置を提供する。
【００２０】
前記顔部マッサージ装置は上部カバー１と下部カバー（図示せず）を含み、前記上部カバー１と下部カバーにより形成される空間内には制御回路が取り付けられる。前記顔部マッサージ装置は、両端が上部カバー１の外側と下部カバーの外側にそれぞれ連結されるマッサージ爪部５と、制御回路に電気接続されかつマッサージ爪部が回転するように駆動する駆動モーター３とを更に含む。駆動モーター３が１個である場合、２個のマッサージ爪部５の間には駆動モーター３に連結されかつ２個のマッサージ爪部５が不同方向に回転するように駆動する伝動構造が設けられる。駆動モーター３が２個である場合、マッサージ爪部５と駆動モーター３は１つずつ連結され、２個の駆動モーター３は２個のマッサージ爪部５が不同方向に回転するように駆動する。
【００２１】
具体的に、前記制御回路として従来の手段を採用することができ、前記制御回路は通常、回路基板上に取り付けられる。前記顔部マッサージ装置内には制御回路と駆動モーター３に電力を供給するバッテリー２が更に取り付けられているが、需要により外部電気により制御回路と駆動モーター３に電力を供給することもできる。前記上部カバー１と下部カバーには制御回路に電気接続される制御ボタン（図示せず）が取り付けられている。前記マッサージ爪部５は、上部カバーおよび下部カバーの外側に位置しているマッサージ端部と、上部カバーおよび下部カバーの裏側に位置している固定端部とを含む。前記固定端部は上部カバー１と下部カバーとの間に形成される固定孔（図示せず）に挿入されかつ第一受動歯車６と第三受動歯車８に連結される。
【００２２】
駆動モーター３が１個である場合、２個のマッサージ爪部５の間には駆動モーター３に連結されかつ２個のマッサージ爪部５が不同方向に回転するように駆動する伝動構造が設けられる。駆動モーター３が２個である場合、マッサージ爪部５と駆動モーター３は１つずつ連結され、２個の駆動モーター３は２個のマッサージ爪部５が不同方向に回転するように駆動する。
【００２３】
前記伝動構造は駆動モーター３の回転軸に連結される主動歯車４を含み、前記主動歯車４の一側には１個のマッサージ爪部５に連結される第一受動歯車６が取り付けられ、前記主動歯車４の他側には第二受動歯車７と他の１個のマッサージ爪部５に連結される第三受動歯車８とが取り付けられている。前記第二受動歯車７が主動歯車４と第三受動歯車８に伝動可能にそれぞれ結合されることにより伝動をし、主動歯車４が第一受動歯車６に伝動可能に結合されることにより伝動をすることができる。前記制御ボタンをクリックすることにより、制御回路の作動を制御し、かつ駆動モーター３により主動歯車４が回転するように駆動することを制御することができる。前記主動歯車４は第一受動歯車６、第二受動歯車７および第三受動歯車８が回転するようにそれぞれ駆動し、それにより２個のマッサージ爪部５が不同方向に回転するように駆動することができる。
【００２４】
前記第一受動歯車６、主動歯車４、第三受動歯車８および第二受動歯車７は歯車ベース９にそれぞれ取り付けられる。
【００２５】
前記マッサージ爪部５は略Ｌ形に形成され、前記マッサージ端部には弧状のマッサージ面が形成されている。２個のマッサージ爪部５が回転するとき、モーターと歯車との間の結合を制御することにより２個のマッサージ爪部５が不同方向に回転するように制御し、マッサージ爪部５と顔部と接触するとき、マッサージ爪部５が往復に回転することにより顔部をマッサージすることができる。各マッサージ部の面積が小さいことにより、顔部の各区域がマッサージされることを確保し、使用者の要求を満たすことができる。前記マッサージ爪部５が略Ｌ形に形成されているので、２個のマッサージ爪部５を回転させるとき、２個のマッサージ爪部５の間の距離が変化することによりマッサージの効果を更に向上させることができる。
【００２６】
前記固定端部に上部カバー１と下部カバーに結合される環形の固定溝５１を形成することができる。上部カバーと下部カバーを結合させるとき、上部カバーと下部カバーとの間に形成される固定孔（図示せず）が環形の固定溝５１に位置することによりマッサージ爪部５を固定させ、マッサージ爪部５と上部カバーとの間の隙間およびマッサージ爪部５と下部カバーとの間の隙間が大きいことにより、作動時大きいノイズが生ずることを防止することができる。
【００２７】
前記マッサージ爪部５の表面には導電層（図示せず）が形成され、前記導電層は制御回路の正極と負極に電気接続される。２個のマッサージ爪部５が顔部と接触するとき、２個のマッサージ爪部５の間の皮膚に電流が流れるようにすることにより、皮膚を刺激し、皮膚の新陳代謝を促進し、よりよいマッサージの効果を獲得することができる。下記構造によりマッサージ爪部５の表面に帯電させることもできる。すなわち制御回路に電気接続される２個の弾性部を含み、各弾性部はマッサージ爪部５の表面に形成される導電層と接触することである。下記構造によりマッサージ爪部５の表面に帯電させることもできる。すなわち前記固定溝５１内にはマッサージ爪部５の表面に形成される導電層と接触する電気接触部（図示せず）が設けられ、前記固定孔の内壁には電気接触部と接触する電気接触部が形成され、前記電気接触部は制御回路に電気接続されることである。その構造によりマッサージ爪部５が任意の角度まで回転するとき、２個のマッサージ爪部５が帯電することを確保することができる。
【００２８】
前記顔部マッサージ装置は制御回路に電気接続される位置検出センサーを更に含むことができる。前記位置検出センサーにより２個のマッサージ爪部５が回転する角度を検出することにより、Ｌ形のマッサージ爪部５が所定の位置において相手に干渉を与えることを避けることができる。
【００２９】
図２に示すとおり、前記伝動構造は次の構造を有することもできる。図２の伝動構造は駆動モーター３の回転軸に連結される主動歯車４と当該主動歯車４に伝動可能に結合される第一受動歯車６とを含む。前記第一受動歯車６と主動歯車４が２個のマッサージ爪部５にそれぞれ固定されることにより２個のマッサージ爪部５が不同方向に回転するように駆動することができる。それを制御することは前記実施例と一致するので、ここでそれを再び説明しない。
【００３０】
図３に示すとおり、前記伝動構造は次の構造を有することもできる。図３の伝動構造は駆動モーター３の回転軸に連結される主動歯車４と当該主動歯車４に伝動可能に結合される２個の第一受動歯車６とを含む。前記第一受動歯車６が回転するとき、２個のマッサージ爪部５が不同方向に回転するように駆動することができる。それを制御することは前記実施例と一致するので、ここでそれを再び説明しない。
【００３１】
図４に示すとおり、駆動モーター３が２個である場合、マッサージ爪部５と駆動モーター３は１つずつ連結され、各駆動モーター３は制御回路の出力端に電気接続される。本発明を適当に設けることにより、２個の駆動モーター３が不同方向に回転するようにし、前記発明の効果を奏することができる。ここではそれを再び説明しない。
【００３２】
前記実施例は、本発明の技術的事項を説明するためのものであるが、本発明を制限するためのものではない。前記実施例により本発明を詳細に説明してきたが、本技術分野の技術者は本発明の要旨を逸脱しない範囲において本発明の技術的事項を変更するか或いは一部分の技術的特徴を取り替えることができ、かつそのような変更または取り替えがあっても本発明に含まれることは勿論である。
【図１】
2021514806.tif 000003
【図２】
2021514806.tif 000004
【図３】
2021514806.tif 000005
【図４】
2021514806.tif 000006
【国際調査報告】
2021514806.tif 000007
2021514806.tif 000008
2021514806.tif 000009
2021514806.tif 000010